(57)【要約】【課題】濃色より色材の組成比率の少ない淡色インクを調整した際に、余剰分散剤由来の異物を低減することのできるインクジェットインク組成物を提供することを目的とする。【解決手段】分散染料と、下記式（１）で表される化合物と、を含む、インクジェットインク組成物。【化１】2018059046.tif 000019（式中、Ａｒ1及びＡｒ2は、各々独立して、アリール基であり、Ｒ1及びＲ2は、各々独立して、水素、Ｃ１〜３のアルキル基、スルホン酸基、−Ｏ−ＳＯ3Ｈ基、カルボン酸基、水酸基であり、ｎは、各々独立して、０〜５の整数である。）【選択図】なし【特許請求の範囲】
【請求項１】
分散染料と、下記式（１）で表される化合物と、を含む、
インクジェットインク組成物。
【化１】
2018059046.tif 000018
（式中、Ａｒ1及びＡｒ2は、各々独立して、アリール基であり、Ｒ1及びＲ2は、各々独立して、水素、Ｃ１〜３のアルキル基、スルホン酸基、−Ｏ−ＳＯ3Ｈ基、カルボン酸基、水酸基であり、ｎは、各々独立して、０〜５の整数である。）
【請求項２】
前記化合物の含有量が、前記分散染料１質量部に対して、０．０１〜１５０質量部である、
請求項１に記載のインクジェットインク組成物。
【請求項３】
分散剤をさらに含む、
請求項１又は２に記載のインクジェットインク組成物。
【請求項４】
前記分散剤の含有量に対する、前記分散染料と前記式（１）で表される化合物との合計含有量の比率〔（分散染料＋式（１）で表される化合物）／分散剤〕が、０．２４〜４．０である、
請求項３に記載のインクジェットインク組成物
【請求項５】
前記化合物の含有量が、前記分散剤１質量部に対して、０．００１〜１０００質量部である、
請求項３又は４に記載のインクジェットインク組成物。
【請求項６】
前記分散剤が、芳香族スルホン酸化合物のホルマリン縮合物を含む、
請求項３〜５に記載のインクジェットインク組成物。
【請求項７】
前記分散染料が、分子中に縮合環構造を有するものである、
請求項１〜６に記載のインクジェットインク組成物。
【発明の詳細な説明】
【技術分野】
【０００１】
本発明は、インクジェットインク組成物に関する。
【背景技術】
【０００２】
従来の分散染料インクは、数十ｎｍ〜サブミクロンサイズの低極性染料の微結晶物を、分散剤・界面活性剤を用いることで水系液中に分散させている。分散染料を溶媒中で沈降させずに浮遊状態を維持し、インクとして適正な粘度・表面張力の制御するためには、分散剤や界面活性剤が必要不可欠である（例えば、特許文献１参照）。
【先行技術文献】
【特許文献】
【０００３】
【特許文献１】特開平１０−２９８４７７号公報
【発明の概要】
【発明が解決しようとする課題】
【０００４】
しかし、分散化工程にてミル等により粉砕され、微結晶として存在する分散染料は、本来水を中心とした溶媒には不溶であるものの、溶剤・分散剤・界面活性剤の存在（つまりインク組成環境下）により、分子レベルで水へ溶出することが確認されている。更に、インク中における色材の飽和溶解度は温度に依存しており、溶媒温度がより低温側へ推移することにより、色材の飽和溶解度が下がるため、差異量分の色材が結晶異物として析出することが問題となっている。また、インクジェットノズル近傍にて低沸点成分の乾燥に起因するインクの組成変化によっても、色材の分散・浮遊状態が維持できなくなり、凝集異物化することも問題となっている。
【０００５】
このように、分散染料の分散状態はインクが受ける外乱や組成変化に影響を受けやすい。特に、淡色インクにおいては、分散剤と分散染料の比率を変更せずに濃色インクを単に希釈するのみでは分散染料の分散状態を容易に維持できないことが確認されており、分散剤と分散染料を含むインク組成について、繊細な調整が必要となる。特に、淡色インクにおいては、分散染料に対して分散剤の量を多く添加させれば分散染料の分散状態が必ずしも維持されるわけではなく、過剰量の分散剤により分散染料を溶解させてしまい分散染料由来の異物化を生じさせたり、分散染料の分散に寄与できなかった分散剤自身が異物化するという更なる問題も生じることが分かってきた。
【０００６】
本発明は、上述の課題の少なくとも一部を解決するためになされたものであり、インク由来の異物を低減することのできるインクジェットインク組成物を提供することを目的とする。
【課題を解決するための手段】
【０００７】
本発明者らは、上記課題を解決するために鋭意検討した。その結果、所定の化合物を用いることにより上記課題を解決できることを見出して、本発明を完成させた。
【０００８】
すなわち、本発明のインクジェットインク組成物は、分散染料と、下記式（１）で表される化合物と、を含むものである。これによりインク由来の異物を低減することができる。
【化１】
2018059046.tif 000002
（式中、Ａｒ1及びＡｒ2は、各々独立して、アリール基であり、Ｒ1及びＲ2は、各々独立して、水素、Ｃ１〜３のアルキル基、スルホン酸基、−Ｏ−ＳＯ3Ｈ基、カルボン酸基、水酸基であり、ｎは、各々独立して、０〜５の整数である。）
【０００９】
また、本発明のインクジェットインク組成物は、化合物の含有量が、分散染料１質量部に対して、０．０１〜１５０質量部であることが好ましく、分散剤をさらに含むことが好ましく、分散剤の含有量に対する、分散染料と前記式（１）で表される化合物との合計含有量の比率〔（分散染料＋式（１）で表される化合物）／分散剤〕が、０．２４〜４．０であることが好ましく、化合物の含有量が、分散剤１質量部に対して、０．００１〜１０００質量部であることが好ましく、分散剤が、芳香族スルホン酸化合物のホルマリン縮合物を含むことが好ましく、分散染料が、分子中に縮合環構造を有するものであることが好ましい。
【発明を実施するための形態】
【００１０】
以下、本発明の実施の形態（以下、「本実施形態」という。）について詳細に説明するが、本発明はこれに限定されるものではなく、その要旨を逸脱しない範囲で様々な変形が可能である。
【００１１】
〔インクジェットインク組成物〕
本実施形態のインクジェットインク組成物は、分散染料と、下記式（１）で表される化合物と、を含む。
【化２】
2018059046.tif 000003
（式中、Ａｒ1及びＡｒ2は、各々独立して、アリール基であり、Ｒ1及びＲ2は、各々独立して、水素、Ｃ１〜３のアルキル基、スルホン酸基、−Ｏ−ＳＯ3Ｈ基、カルボン酸基、水酸基であり、ｎは、各々独立して、０〜５の整数である。）
【００１２】
従来、分散染料の分散剤としては、ナフタレンスルホン酸及びそのホルマリン縮合物や、リグニンスルホン酸などが用いられている。これらの分散剤は化石燃料系の成分であるナフタレン、アントラセン、フェナントレン等の化合物をスルホン酸化処理し、更にホルマリン縮合をさせることにより多核体化させた成分、あるいは木材・パルプ由来のリグニンをスルホン酸化させた成分であり、一般的に高分子量の成分である。濃色インクと比較して色材の組成比率の少ない淡色インクにおいては、本来色材を包接すべき分散剤が色材を包接せず余剰に液中に存在する。このような余剰分散剤は、インクジェットインク組成物の保存・貯蔵において、異物を生じさせるという問題がある。
【００１３】
これに対し、本実施形態のインクジェットインク組成物は、分散色材に似せて構成した式（１）で表される化合物を用い、これを分散染料の代替として分散剤に包摂させる。
【００１４】
また、芳香族化合物をスルホニル基で二量体化したスルホニルビス二量体構造を有する式（１）で表される化合物は、その芳香族化合物に由来する基が分散染料に対する親和性を発揮し、一方で、スルホニル基が高極性の置換基を有する分散剤に対する親和性を発揮することになる。一般的に、水系溶媒に溶解しない分散剤と、これを分散させるためにスルホン酸のような高極性の置換基を有する分散染料との間には、極性差が存在するが、式（１）で表される化合物を用いることにより、当該極性差を小さくし、分散染料と分散剤の親和性をより向上することも可能となる。
【００１５】
以上の結果、分散染料の分散性がより向上し、余剰分散剤がより低減し、式（１）で表される化合物の分散性もより向上する。その結果として、本実施形態によればインク由来の異物の異物を低減することができる。なお、ここで「インク由来の異物」とは、分散染料由来異物、式（１）で表される化合物由来異物、分散剤由来異物をいう。
【００１６】
〔分散染料〕
本実施形態のインク組成物は、分散染料を含んでもよい。分散染料とは、ポリエステル、ナイロン、アセテート等の疎水性合成繊維の染着に好適に用いられる染料であり、水に不溶または難溶の化合物である。
分散染料としては、以下のようなものが挙げられる。
【００１７】
イエロー分散染料としては、特に限定されないが、例えば、Ｃ．Ｉ．ディスパースイエロー３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２が挙げられる。
【００１８】
オレンジ分散染料としては、特に限定されないが、例えば、Ｃ．Ｉ．ディスパースオレンジ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２が挙げられる。
【００１９】
レッド分散染料としては、特に限定されないが、例えば、Ｃ．Ｉ．ディスパースレッド１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８が挙げられる。
【００２０】
バイオレット分散染料としては、特に限定されないが、例えば、Ｃ．Ｉ．ディスパースバイオレット１、４、８、２３、２６、２７、２８、３１、３３、３５、３６、３８、４０、４３、４６、４８、５０、５１、５２、５６、５７、５９、６１、６３、６９、７７が挙げられる。
【００２１】
グリーン分散染料としては、特に限定されないが、例えば、Ｃ．Ｉ．ディスパースグリーン９が挙げられる。
【００２２】
ブラウン分散染料としては、特に限定されないが、例えば、Ｃ．Ｉ．ディスパースブラウン１、２、４、９、１３、１９が挙げられる。
【００２３】
ブルー分散染料としては、特に限定されないが、例えば、Ｃ．Ｉ．ディスパースブルー３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３が挙げられる。
【００２４】
ブラック分散染料としては、特に限定されないが、例えば、Ｃ．Ｉ．ディスパースブラック１、３、１０、２４が挙げられる。
【００２５】
上記で例示した分散染料は、１種単独で用いてもよく、２種以上を組み合わせた混色として用いてもよい。
【００２６】
本実施形態に係るインク組成物は、上記例示した分散染料の中でも、分子量が３８０以下の分散染料が好適である。この分散染料の分子量は、好ましくは３４０以下であり、より好ましくは２７０以上３４０以下であり、特に好ましくは２８０以上３４０以下である。分子量が３８０以下の分散染料であると、昇華転写式で用いた場合に転写先への染料の転写を効率よく行うことができる。
【００２７】
分子量が３８０以下の分散染料としては、例えばＣ．Ｉ．ディスパースレッド１１、５３、５５、５９、６０、１９１；Ｃ．Ｉ．ディスパースイエロー３、７、８、２３、３９、５１、５４、６０、７１、１６３；Ｃ．Ｉ．ディスパースオレンジ１、２０、２５；Ｃ．Ｉ．ディスパースブルー１９、２６、５６、７２、８１、３５９；Ｃ．Ｉ．ディスパースバイオレット８、１７、２７、２８等が挙げられる。これらは、単独で用いてもよいし２種類以上を併用してもよい。
【００２８】
このなかでも、特にＣ．Ｉ．ディスパースレッド６０、Ｃ．Ｉ．ディスパースレッド１９１、Ｃ．Ｉ．ディスパースブルー３５９等のアミノ基又はヒドロキシル基等の親水基を有するアントラキノン骨格を有する分散染料が好ましい。このような分散染料は、式（１）で表される化合物との親和性がより高い傾向にある。
【００２９】
分散染料は、分子中にナフタレン、アントラセン、フェナントレン等及びこれらの誘導体等の縮合環構造を有するものであることが好ましい。以下に、Ｃ．Ｉ．ディスパースレッド６０の構造を例示する。このように、式（１）で表される化合物と、縮合環構造を有する分散染料とは、近い極性及び分子構造を有するため、インク由来の異物をより抑制することができる。
【化３】
2018059046.tif 000004
【００３０】
分散染料の含有量は、インクジェットインク組成物の総量に対して、好ましくは０．１〜１２質量％であり、より好ましくは１〜１０質量％であり、さらに好ましくは２〜５質量％である。なお、本実施形態において、「淡色インク」とは、分散染料の総含有量が５質量％以下であるものをいう。また、「濃色インク」とは、分散染料の総含有量が５質量％超過であるものをいう。本実施形態のインクジェットインク組成物は、淡色インクであっても、濃色インクであってもよい。
【００３１】
〔式（１）で表される化合物〕
式（１）で表される化合物は、印捺物の色調に影響を与えず、かつ分散染料と同様に分散剤により分散されるものとなる。このような化合物を用いることにより、余剰分散剤が原因で生ずる異物を抑制できる上、分散染料と分散剤の親和性をより向上させることで、分散安定が向上する。
【００３２】
Ａｒ1及びＡｒ2で表されるアリール基としては、特に制限されないが、例えば、ベンゼン基、ナフタレン基、アントラセン基、フェナントレン基などが挙げられる。このなかでも、ベンゼン基、ナフタレン基、アントラセン基が好ましい。また、２つのＡｒ1及びＡｒ2が、同じアリール基であることがより好ましい。
【００３３】
Ｒ1及びＲ2で表されるアルキル基としては、特に制限されないが、例えば、メチル基、エチル基、ｎ−プロピル基、イソプロピル基、ｎ−ブチル基、イソブチル基、ｓｅｃ−ブチル基、ｔ−ブチル基、ｎ−ペンチル基、ネオペンチル基、ｎ−ヘキシル基、テキシル基、ｎ−へプチル基、ｎ−オクチル基が挙げられる。このなかでも、Ｃが１〜３であるアルキル基が好ましく、特にメチル基、エチル基が好ましい。
【００３４】
式（１）で表される化合物の具体例としては、特に制限されないが、以下の化合物が挙げられる。
【化４】
2018059046.tif 000005
【００３５】
式（１）で表される化合物の含有量は、インクジェットインク組成物の総量に対して、好ましくは０．１〜２０質量％であり、より好ましくは１〜１５質量％であり、さらに好ましくは２〜１０質量％である。式（１）で表される化合物の含有量が０．１質量％以上であることにより、余剰分散剤に起因する異物をより低減することができ、分散染料と分散剤の親和性をより向上することができ分散安定性が向上する傾向にある。また、式（１）で表される化合物の含有量が２０質量％以下であることにより、余剰分散剤で分散しきれなかった式（１）で表される化合物が異物となることをより抑制できる傾向にある。
【００３６】
分散剤の含有量に対する、分散染料と式（１）で表される化合物の合計含有量との比率〔（分散染料＋式（１）で表される化合物）／分散剤〕は、０．２４〜４．０であることが好ましく、より好ましくは０．５〜２．４であり、さらに好ましくは１．０〜３．０である。上記比率がこの範囲内であれば、余剰分散剤に起因する異物をより低減することができ、分散染料と分散剤の親和性をより向上することができ分散安定性が向上する傾向にある。
【００３７】
また、式（１）で表される化合物の含有量は、分散染料１質量部に対して、好ましくは０．０１〜１５０質量部であり、より好ましくは０．２〜５質量部であり、さらに好ましくは０．５〜１．５質量部である。式（１）で表される化合物の含有量が０．０１質量部以上であることにより、余剰分散剤に起因する異物をより低減することができ、分散染料と分散剤の親和性をより向上することができ保存安定性を向上する傾向にある。また、式（１）で表される化合物の含有量が１００質量部以下であることにより、余剰分散剤で分散しきれなかった式（１）で表される化合物が異物となることをより抑制できる傾向にある。
【００３８】
式（１）で表される化合物の合成方法は、特に限定されないが、例えば、芳香族化合物を、スルホニル基で二量体化することで得ることができる。より具体的には、式（１）においてアリール基部分となる芳香族化合物に対し、硫酸を加えて反応させることにより、スルホニルビス二量体構造を有する化合物を得ることができる。
【００３９】
〔分散剤〕
本実施形態のインクジェットインク組成物は、分散剤をさらに含んでもよい。分散剤としては、特に制限されないが、例えば、アニオン系分散剤、ノニオン系分散剤、高分子分散剤が挙げられる。このなかでも、アニオン系分散剤が好ましい。
【００４０】
アニオン系分散剤としては、特に限定されないが、例えば、クレオソート油スルホン酸のホルマリン縮合物、クレゾールスルホン酸のホルマリン縮合物、フェノールスルホン酸のホルマリン縮合物、β−ナフトールスルホン酸のホルマリン縮合物、メチルナフタレンスルホン酸のホルマリン縮合物、ブチルナフタレンスルホン酸のホルマリン縮合物等のアルキルナフタレンスルホン酸のホルマリン縮合物；β−ナフタレンスルホン酸とβ−ナフトールスルホン酸との混合物のホルマリン縮合物、クレゾールスルホン酸と２−ナフトール−６−スルホン酸との混合物のホルマリン縮合物、及びリグニンスルホン酸のホルマリン縮合物が挙げられる。このなかでも、芳香族スルホン酸化合物のホルマリン縮合物が好ましい。
【００４１】
ノニオン系分散剤としては、特に限定されないが、例えば、フィトステロールのエチレンオキサイド付加物、コレスタノールのエチレンオキサイド付加物等が挙げられる。
【００４２】
高分子分散剤としては、特に限定されないが、例えば、ポリアクリル酸部分アルキルエステル、ポリアルキレンポリアミン、ポリアクリル酸塩、スチレン−アクリル酸共重合物、ビニルナフタレン−マレイン酸共重合物等が挙げられる。
【００４３】
分散剤の含有量は、インクジェットインク組成物の総量に対して、好ましくは０．１〜２０質量％であり、より好ましくは１〜１５質量％であり、さらに好ましくは２〜１０質量％である。分散剤の含有量が０．１質量％以上であることにより、分散染料の分散安定性がより向上する傾向にある。また、分散剤の含有量が２０質量％以下であることにより、余剰分散剤に起因する異物の発生がより抑制される傾向にある。
【００４４】
また、式（１）で表される化合物の含有量は、分散剤１質量部に対して、好ましくは０．００１〜１０００質量部であり、より好ましくは０．１〜５質量部であり、さらに好ましくは０．２〜１質量部である。式（１）で表される化合物の含有量が０．００１質量部以上であることにより、余剰分散剤に起因する異物をより低減することができ、分散染料と分散剤の親和性をより向上することができ分散安定性が向上する傾向にある。また、式（１）で表される化合物の含有量が１０００質量部以下であることにより、余剰分散剤で分散しきれなかった式（１）で表される化合物が異物となることをより抑制できる傾向にある。
【００４５】
〔界面活性剤〕
界面活性剤としては、特に限定されないが、例えば、ノニオン系界面活性剤、カチオン性界面活性剤、アニオン性界面活性剤が挙げられる。このなかでも、ノニオン系界面活性剤が好ましい。ノニオン系界面活性剤を用いることにより、吐出安定性がより向上する傾向にある。
【００４６】
ノニオン系界面活性剤としては、特に限定されないが、例えば、アセチレングリコール系界面活性剤、シリコーン系界面活性剤、ポリオキシエチレンアルキルエーテル系界面活性剤、ポリオキシプロピレンアルキルエーテル系界面活性剤、多環フェニルエーテル系界面活性剤、ソルビタン誘導体、及びフッ素系界面活性剤が挙げられる。この中でも、アセチレングリコール系界面活性剤、シリコーン系界面活性剤、及びフッ素系界面活性剤が好ましく、シリコーン系界面活性剤がより好ましい。
【００４７】
アセチレングリコール系界面活性剤は、他のノニオン系界面活性剤と比較して、表面張力及び界面張力を適正に保つ能力に優れており、かつ起泡性がほとんどないという特性を有する。特にアセチレングリコール系界面活性剤はインク供給路に対して良好な親和性（濡れ性）を示すため、洗浄液として適する。
【００４８】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール４６５やサーフィノール６１（日信化学工業社（Nissin Chemical Industry CO.,Ltd.）製商品名）などが挙げられる。アセチレングリコール系界面活性剤は、１種単独で使用してもよいし、２種以上を併用してもよい。
【００４９】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【００５０】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【００５１】
界面活性剤の含有量は、インクジェットインク組成物の総量に対して、好ましくは０．１〜５質量％であり、より好ましくは０．１〜２質量％であり、さらに好ましくは０．２〜１質量％である。
【００５２】
〔溶剤〕
本実施形態のインクジェットインク組成物は、溶剤をさらに含むことが好ましい。溶剤としては、特に限定されないが、例えば、有機溶剤又は水を用いることができる。
【００５３】
〔水〕
本発明のインクは水を含んでもよい。水としては、例えば、イオン交換水、限外ろ過水、逆浸透水、蒸留水などの純水、ならびに超純水のようなイオン性不純物を極力除去したものを用いることができる。また、紫外線照射や過酸化水素の添加などによって滅菌した水を使用すると、インクを長期間保存する場合に、カビやバクテリアの発生を抑制することができる。インクに含まれる水の含有量は、特に限定されないが、インクの全質量に対して、好ましくは５０〜９５質量％であり、より好ましくは６０〜９０質量％であり、さらに好ましくは７０〜８０質量％である。
【００５４】
［有機溶剤］
本発明のインクは有機溶剤を含んでもよい。
【００５５】
有機溶剤としては、特に限定されないが、例えば、グリセリン、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−ヘキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、ジエチレングリコールジメチルエーテル、ジエチレングリコールジエチルエーテル、ジエチレングリコールジブチルエーテル、ジエチレングリコールエチルメチルエーテル、ジエチレングリコールブチルメチルエーテル、トリエチレングリコールジメチルエーテル、テトラエチレングリコールジメチルエーテル、ジプロピレングリコールジメチルエーテル、ジプロピレングリコールジエチルエーテル、トリプロピレングリコールジメチルエーテル、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール等のアルコール類又はグリコール類；Ｎ，Ｎ−ジメチルホルムアミド、Ｎ，Ｎ−ジメチルアセトアミド、２−ピロリドン、Ｎ−メチル−２−ピロリドン、２−オキサゾリドン、１，３−ジメチル−２−イミダゾリジノン、ジメチルスルホキシド、スルホラン、及び１，１，３，３−テトラメチル尿素が挙げられる。有機溶剤は、１種単独で用いてもよく、２種以上を組み合わせて用いてもよい。
【００５６】
有機溶剤の含有量は、インクジェットインク組成物の総量に対して、好ましくは１〜２５質量％であり、より好ましくは５〜２０質量％であり、さらに好ましくは１０〜２０質量％である。
【００５７】
（その他の添加剤）
インク組成物は、さらに必要に応じて、防腐防黴剤、酸化防止剤、紫外線吸収剤、キレート剤、酸素吸収剤、ｐＨ調整剤（例えば、トリエタノールアミン、アジピン酸、水酸化カリウム、トリス緩衝液）、又は溶解助剤、その他、通常のインクにおいて用いることができる各種添加剤を含んでもよい。なお、各種添加剤は、一種単独で用いても、二種以上を併用してもよい。
【実施例】
【００５８】
以下、本発明を実施例、比較例、及び参考例を用いてより具体的に説明する。本発明は、以下の実施例によって何ら限定されるものではない。
【００５９】
［インク組成物用の材料］
下記の実施例、比較例、及び参考例において使用したインク組成物用の主な材料は、以下の通りである。
〔色材〕
ＤＲ６０    ：Ｃ．Ｉ．ディスパースレッド６０
ＤＹ５４    ：Ｃ．Ｉ．ディスパースイエロー５４
ＤＢｌ３５９  ：Ｃ．Ｉ．ディスパースブルー３５９
ＤＲ１９１  ：Ｃ．Ｉ．ディスパースレッド１９１
ＤＹ１６３  ：Ｃ．Ｉ．ディスパースイエロー１６３
ＤＢｌ１６５  ：Ｃ．Ｉ．ディスパースブルー１６５
〔分散剤〕
ＮＳ          ：ナフタレンスルホン酸ナトリウムのホルマリン縮合物（第一工業製薬社製、製品名ラベリンＡＮ−４０）
〔界面活性剤〕
ＢＹＫ３４８  ：シリコーン系界面活性剤（ビックケミー・ジャパン社製）
〔有機溶剤〕
Ｇｌｙ        ：グリセリン
ＴＥＧＭＭＥ  ：トリエチレングリコールモノメチルエーテル
【００６０】
〔化合物１の合成方法〕
ベンゼン１モル及びベンゼンスルホン酸１モルに対し、硫酸を３モル加え、１５０℃で５時間程度反応させた。その後、水と、硫酸の添加モル量に対応した炭酸カルシウムを加え中和を行い、水洗した。その後更に、０．５気圧・１５０℃状況下にて揮発させることにより未反応成分及び余剰な水を除去して、下記化合物１を得た。
【化５】
2018059046.tif 000006
【００６１】
〔化合物２の合成方法〕
ナフタレン１モルに対し、硫酸を３モル加え、１５０℃で５時間程度反応させた。その後、水と、硫酸の添加モル量に対応した炭酸カルシウムを加え中和を行い、水洗した。その後更に、０．５気圧・１５０℃状況下にて揮発させることにより未反応成分及び余剰な水を除去して、下記化合物２を得た。
【化６】
2018059046.tif 000007
【００６２】
〔化合物３の合成方法〕
アントラセン１モル及びメチルアントラセン１モルに対し、硫酸を３モル加え、１５０℃で５時間程度反応させた。その後、水と、硫酸の添加モル量に対応した炭酸カルシウムを加え中和を行い、水洗した。その後更に、０．５気圧・１５０℃状況下にて揮発させることにより未反応成分及び余剰な水を除去して、下記化合物３を得た。
【化７】
2018059046.tif 000008
【００６３】
〔化合物４の合成方法〕
ナフタレン１モルに代えて、ナフタレンスルホン酸１モルを用いたこと以外は化合物２の合成方法と同様の操作により、下記式（１’）においてＲ1及びＲ2がともにＳＯ3Ｈ基である化合物４を得た。
【化８】
2018059046.tif 000009
【００６４】
〔化合物５Ａの合成方法〕
芳香族化合物として、ナフタレン、メチルナフタレン、ナフタレンスルホン酸、−ＯＳＯ3Ｈ基を有するナフタレン、ナフタレンカルボン酸、ナフトールを各々１モル用いたこと以外は化合物２の合成方法と同様の操作により、下記式においてＲ1及びＲ2がともに表４〜５で示される官能基である化合物５をそれぞれ得た。
【化９】
2018059046.tif 000010
【００６５】
〔化合物５Ｂの合成方法〕
芳香族化合物として、ナフタレンスルホン酸１モルを用いたこと以外は化合物２の合成方法と同様の操作により、下記式においてＲ1及びＲ2がともに表５で示される官能基である化合物５Ｂを得た。
【化１０】
2018059046.tif 000011
【００６６】
〔化合物５Ｃの合成方法〕
芳香族化合物として、ナフタレンスルホン酸１モルを用いたこと以外は化合物２の合成方法と同様の操作により、下記式においてＲ1及びＲ2がともに表５で示される官能基である化合物５Ｃを得た。
【化１１】
2018059046.tif 000012
【００６７】
［インク組成物の調製］
各材料を下記の表１〜４に示す組成で混合し、十分に撹拌し、各インク組成物を得た。なお、下記の表１〜４中、数値の単位は質量％であり、合計は１００．０質量％である。
【００６８】
【表１】
2018059046.tif 000013
【００６９】
【表２】
2018059046.tif 000014
【００７０】
【表３】
2018059046.tif 000015
【００７１】
【表４】
2018059046.tif 000016
【００７２】
【表５】
2018059046.tif 000017
【００７３】
〔異物評価〕
上記のようにして得られたインク組成物３０ｍｌを、評価用インクパックに空気層がないように密閉状態で封入し、６０℃５日間放置した。その後、インク組成物１０ｍｌを金属メッシュフィルター（孔径１０μｍ）でろ過し、金属メッシュフィルター上に捕捉されたインク由来の結晶性異物の１ｍｍ四方あたりの個数を数えた。得られた個数に基づいて、下記評価基準により、インク組成物中の異物の発生を評価した。
Ａ：１ｍｍ四方あたりの結晶性異物の個数が０個
Ｂ：１ｍｍ四方あたりの結晶性異物の個数が１〜５個
Ｃ：１ｍｍ四方あたりの結晶性異物の個数が６〜２５個
Ｄ：１ｍｍ四方あたりの結晶性異物の個数が２６〜５０個
Ｅ：１ｍｍ四方あたりの結晶性異物の個数が５１以上